【事件の表示】
　特許第２８１６９３４号「パチンコ機」の特許に対する特許異議の申立てについて、次のとおり決定する。
【結　論】
　訂正を認める。
　特許第２８１６９３４号の特許を維持する。
【理　由】
１．手続の経緯
　特許第２８１６９３４号の請求項１に係る発明についての出願は、平成6年６月２７日に特許出願され、平成１０年８月２１日に、その発明について特許の設定登録がなされ、その後、その特許について、異議申立人町田彬より特許異議の申立てがなされ、取消理由通知がなされ、その指定期間内である平成１２年４月１４日に訂正請求がなされたものである。
２．訂正の適否についての判断                      
（１）訂正の要旨
訂正事項a
　特許請求の範囲を、「【請求項１】遊技盤面に設置された特別図柄表示装置始動口と、該始動口を遊技球が通過したことを検出して後記特別図柄表示装置に始動信号を送る特別図柄始動信号発生装置と、前記特別図柄始動信号発生装置の始動信号により複数の特別図柄表示部の夫々に複数の図柄を個々に変動させるようになした特別図柄表示装置及びこれの制御手段と、電気的な操作手段により遊技球の入賞が有利となる開放状態と不利となる閉鎖状態とに変化させ得る開閉機構で構成された大入賞口装置と、前記特別図柄表示部に表示された図柄の組み合わせが予め設定さた特定の図柄の組み合わせと一致したときに始動を開始するようにされた大入賞口の開閉制御手段と、遊技盤面に設置された普通図柄表示装置作動ゲートと、該作動ゲートを遊技球が通過したことを検出して後記普通図柄表示装置に始動信号を送る普通図柄始動信号発生装置と、前記普通図柄始動信号発生装置の始動信号により複数の普通図柄表示部の夫々に複数の図柄を個々に変動させるようになした普通図柄表示装置及びこれの制御手段と、前記普通図柄表示部に表示された図柄の組み合わせが予め設定された特定の図柄の組み合わせと一致したときに普通電動役物を一定時間開放する制御手段と、普通図柄表示装置における普通図柄表示部の図柄の組み合わせが予め設定された特定の図柄の組み合わせと一致する確率を変換させる手段とを有するパチンコ機において、普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される複数回のゲームの結果により行うようになしたことを特徴とするパチンコ機。」と訂正する。
訂正事項ｂ
　明細書の段落番号「【０００１】、【０００４】、【０００５】、【０００８】および【００１３】の「〜展開されるゲームの結果〜」を「〜展開される複数回のゲームの結果〜」と訂正する。
（２）訂正の目的の適否、新規事項の有無及び拡張・変更の存否
訂正事項ａについて
　特許明細書において【０００６】に、『じゃんけんの結果は、・・・そして、「大当たり」中に上記のじゃんけんゲームを４回行い、』と記載されていることから、ゲームの結果は複数回であり、「複数回のゲームの結果」とするものである。
　したがって、上記訂正事項ａは、願書に添付した明細書又は図面に記載した事項の範囲内のものであり、新規事項ではなく、実質上特許請求の範囲を拡張又は変更するものではなく、特許請求の範囲の減縮を目的とするものである。
訂正事項ｂについて
　訂正事項ｂは、訂正事項ａに伴って訂正後の特許請求の範囲の記載と、発明の詳細な説明との整合を図るためのものであり、明りょうない記載の釈明を目的とするものである。
（３）独立特許要件の判断
　訂正請求による訂正明細書の請求項１に係る発明は、訂正後の特許請求の範囲の請求項１に記載された事項により特定される次のとおりのものと認める。
「【請求項１】遊技盤面に設置された特別図柄表示装置始動口と、該始動口を遊技球が通過したことを検出して後記特別図柄表示装置に始動信号を送る特別図柄始動信号発生装置と、前記特別図柄始動信号発生装置の始動信号により複数の特別図柄表示部の夫々に複数の図柄を個々に変動させるようになした特別図柄表示装置及びこれの制御手段と、電気的な操作手段により遊技球の入賞が有利となる開放状態と不利となる閉鎖状態とに変化させ得る開閉機構で構成された大入賞口装置と、前記特別図柄表示部に表示された図柄の組み合わせが予め設定さた特定の図柄の組み合わせと一致したときに始動を開始するようにされた大入賞口の開閉制御手段と、遊技盤面に設置された普通図柄表示装置作動ゲートと、該作動ゲートを遊技球が通過したことを検出して後記普通図柄表示装置に始動信号を送る普通図柄始動信号発生装置と、前記普通図柄始動信号発生装置の始動信号により複数の普通図柄表示部の夫々に複数の図柄を個々に変動させるようになした普通図柄表示装置及びこれの制御手段と、前記普通図柄表示部に表示された図柄の組み合わせが予め設定された特定の図柄の組み合わせと一致したときに普通電動役物を一定時間開放する制御手段と、普通図柄表示装置における普通図柄表示部の図柄の組み合わせが予め設定された特定の図柄の組み合わせと一致する確率を変換させる手段とを有するパチンコ機において、普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される複数回のゲームの結果により行うようになしたことを特徴とするパチンコ機。」
（引用例）
　当審が通知した取消理由で引用した引用例には、それぞれ以下のとおり記載されている。
引用例１：特開平６−１２１８７３号公報
「遊技条件に基づき表示装置に図柄を変動表示すると共に、・・・表示装置に確率変動遊技を画像表示する確率変動遊技表示手段と、この確率変動遊技に基づき前記普通図柄表示器の当たり確率を変更する確率変更手段とを設けたことを特徴とする遊技機。」（特許請求の範囲）と記載され、「この確率遊技は、大当たり時点の特図の始動回数（特図処理）つまり始動口２２の入賞を基に結果的に大当たりを発生することになった特図の可変表示の開始時点の特図始動カウントに基づいて行い、特図始動カウント数が［７］以外のときは譜図の確率を通常の低確率に、特図始動カウント数が［７］であれば譜図の確率を特別の高確率に設定する（４．５０，４．５１，４．５４〜４．５６）。」（公報第１１欄３２行〜同欄３９行）と記載されている。
引用例２：特開平６−５４９５４号公報
「遊技盤面上に設けられた特別始動口への入賞に基づいて予め定められた複数種の特別識別情報のいずれかを表示する特別図柄表示装置と、・・・該普通図柄表示装置に予め定められた特有識別情報が表示されたときに・・・前記特有識別情報が前記普通図柄表示装置に表示される確率が所定条件に応じて変動するパチンコ機において、予め定められた条件が満足されたときに前記特別識別情報および普通識別情報とは異なる複数種の確率決定識別情報のいずれかを表示する普通図柄当たり確率確率決定用表示装置と、該普通図柄当たり確率確率決定用表示装置に予め定められた特典識別情報が表示されたときに前記特有識別情報が前記普通図柄表示装置に表示される確率を設定する普通図柄当たり確率確率決定用表示装置とを設けたことを特徴とするパチンコ機。」（特許請求の範囲）と記載され、「普通図柄当たり確率決定用表示装置５０は２種類の確率決定識別情報を合計９個のＬＥＤ表示素子５２，５３で表示する。一方のＬＥＤ表示素子５２は３個からなり、他方の表示素子５３はＬＥＤ表示素子５２の両側に３個づつ、合計６個が配設されている。」（公報第７頁第１２欄４８行〜第８頁第１３欄２行）と記載され、「他方、普通図柄当たり確率決定用制御装置５１は大役処理終了後、図２および図４中、ＬＥＤ表示素子５２，５３を左側から右側にかけて１つづつ順次点灯・消灯することによって確率決定識別情報を変動表示させる。」（公報第８頁第１３欄２１行〜同欄２５行）と記載され、「大役処理の開始から終了後に特別ゲームが開始されるまでの間において、予め定められた条件に基づいて上記確率決定を専用の普通図柄当たり確率決定用表示装置によって行うものであればよい。」（公報第９頁第１６欄１０行〜同欄１４行）と記載されている。
引用例３：特願平４−３４４４５５号（特開平６−１９０１１８号公報）の全文明細書および図面
「表示状態が変化可能な可変表示装置を有し、該可変表示装置の表示結果が予め定められた特定の表示態様となった場合に所定の遊技価値が付与可能となる遊技機であって、前記可変表示装置を制御する可変表示装置制御手段を含み、該可変表示制御手段は、複数の識別情報を可変表示させる識別情報可変表示制御手段と、所定のキャラクタを表示させるキャラクタ表示制御手段とを含むことを特徴とする、遊技機。」（特許請求の範囲）と記載され、
「このように、可変表示部５の表示画像がキャラクタ画面に切換わると、勇者キャラクタ５ｄとモンスターキャラクタ５ｅとの間で・・・戦闘シーンが表示される。・・・そして、この戦闘で勇者キャラクタ５ｄが勝った場合は、・・・「モンスターは倒れた！」というメッセージが表示されて、第３特別図柄５ｃが「７」となり、大当たりが発生する。一方、勇者キャラクタ５ｄが負けた場合は、勇者キャラクタ５ｄが負けたことを示すキャラクタの状態とメッセージとが表示されて、第３特別図柄５ｃには「７」以外の数値が表示される。また、両方のキャラクタ５ｄ，５ｅの生命力が同時に無くなった場合には、第３特別図柄第５ｃは、１／２の確率で「７」となる。」（公報第４頁第５欄３４行〜同欄４９行）と記載されている。
（対比・判断）
ア．上記引用例１の記載事項からみて、引用例１には、「確率変動遊技を画像表示する確率変動表示手段と、この確率変動遊技に基づき普通図柄表示器の当たり確率を変更する確率変更手段とを設けた遊技機」の発明が記載され、上記引用例２の記載事項からみて、引用例２には、「複数種の確率決定識別情報のいずれかを表示する普通図柄当たり確率決定用表示装置と、普通図柄当たり確率決定用表示装置に予め定められた特典識別情報が表示されたときに特有識別情報が普通図柄表示装置に表示される確率を設定する普通図柄当たり確率決定用表示制御装置を設けたパチンコ機」の発明が記載されているものと認める。
　そこで、本件発明と、引用例１および引用例２に記載された発明とを対比すると、引用例１および引用例２に記載された発明のいずれにも、本件発明の構成の一部である「普通図柄表示装置における普通図柄表示部の図柄の組み合わせが予め設定さた特定の図柄の組み合わせと一致する確率の変換を、大入賞口が大当たりの開状態にあるときに特別図柄表示装置における特別図柄表示部において展開される複数回のゲームの結果により行う」の構成（以下、「特定事項」という。）が記載されておらず、かつ、前記特定事項を示唆する記載も認められないので、本件発明は、引用例１に記載された発明ではなく、また、引用例２に記載された発明ではないものと認める。
　さらに、上記引用例刊行物１と引用例２に記載された発明を寄せ集めたとしても、当業者が前記特定事項を容易に想到することができないものと認められる。
　そして、本件発明は、前記特定事項を備えることにより、明細書に記載されたとおりの特有な効果を奏するものであるから、本件発明は、上記引用例刊行物１と引用例２記載の発明に基づいて当業者が容易に発明をすることができたものではないものと認める。
イ．引用例３に記載された発明は、本件発明の出願前に出願され、出願後に公開された発明である。
　本件発明と、引用例３に記載された発明とを対比すると、引用例３に記載された発明には、本件発明の構成の一部である「普通図柄表示装置における普通図柄表示部の図柄の組み合わせが予め設定さた特定の図柄の組み合わせと一致する確率の変換を、大入賞口が大当たりの開状態にあるときに特別図柄表示装置における特別図柄表示部において展開される複数回のゲームの結果により行う」の構成が記載されておらず、かつ、前記構成を示唆する記載も認められない。
　したがって、本件発明と引用例３に記載された発明とは同一であるものとは認められない。
（４）むすび
　以上のとおりであるから、上記訂正は特許法第１２０条の４第２項及び第３項において準用する特許法第１２６条第２−４項の規定に適合するので、当該訂正を認める。
３．特許異議申立てについての判断
　本件請求項１に係る発明は、訂正明細書の請求項１に記載された事項により特定されるとおりのものである（２．（３）を参照）。
（異議申立ての理由の概要）
　異議申立人は、甲第１号証（特開平６−１２１８７３号公報）、甲第２号証（特開平６−５４９５４号公報）および甲第３号証（特開平６−１９０１１８号公報）を提出して、本件特許発明は、甲第１号証または甲第２号証に記載されており、または、甲第１号証および甲第２号証に記載された発明に基づいて当業者が容易に発明をすることができたものであり、さらに、本件特許発明は、甲第３号証に記載された発明と同一であるから、特許法第２９条第１項第３号、特許法第２９条第２項および特許法第２９条の２の規定に違反するので、特許法第１１３条第２号の規定により取り消されるべき旨主張している。
（対比・判断）
　上記甲第１号証乃至甲第３号証は、取消理由で引用した引用例１乃至引用例３と同一のものであり、かつ、訂正請求により本件発明は訂正明細書の請求項１により特定される事項のとおりのものである。
　したがって、本件請求項１に係る発明と、甲第１号証、甲第２号証および甲第３号証との対比・判断は、２．（３）．（対比・判断）で示したとおりである。
　よって、異議申立人の主張は採用できない。
４．むすび
　以上のとおりであるから、特許異議申立ての理由および証拠によっては、本件請求項１に係る特許を取り消すことはできない。
　また、他に本件請求項１に係る特許を取り消すべき理由を発見しない。
　したがって、本件請求項１に係る特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第１項及び第２項の規定により、上記のとおり決定する。
【異議決定日】
平成１２年７月１９日（２０００．７．１９）
【訂正の要旨】
訂正の要旨
訂正事項ａ
　特許請求の範囲を、「【請求項１】遊技盤面に設置された特別図柄表示装置始動口と、該始動口を遊技球が通過したことを検出して後記特別図柄表示装置に始動信号を送る特別図柄始動信号発生装置と、前記特別図柄始動信号発生装置の始動信号により複数の特別図柄表示部の夫々に複数の図柄を個々に変動させるようになした特別図柄示装置及びこれの制御手段と、電気的な操作手段により遊技球の入賞が有利となる開放状態と不利となる閉鎖状態とに変化させ得る開閉機構で構成された大入賞口装置と、前記特別図柄表示部に表示された図柄の組み合わせが予め設定さた特定の図柄の組み合わせと一致したときに始動を開始するようにされた大入賞口の開閉制御手段と、遊技盤面に設置された普通図柄表示装置作動ゲートと、該作動ゲートを遊技球が通過したことを検出して後記普通図柄表示装置に始動信号を送る普通図柄始動信号発生装置と、前記普通図柄始動信号発生装置の始動信号により複数の普通図柄表示部の夫々に複数の図柄を個々に変動させるようになした普通図柄表示装置及びこれの制御手段と、前記普通図柄表示部に表示された図柄の組み合わせが予め設定された特定の図柄の組み合わせと一致したときに普通電動役物を一定時間開放する制御手段と、普通図柄表示装置における普通図柄表示部の図柄の組み合わせが予め設定された特定の図柄の組み合わせと一致する確率を変換させる手段とを有するパチンコ機において、普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される複数回のゲームの結果により行うようになしたことを特徴とするパチンコ機。」と訂正する。
訂正事項ｂ
　明細書の段落番号「【０００１】、【０００４】、【０００５】、【０００８】および【００１３】の「〜展開されるゲームの結果〜」を「〜展開される複数回のゲームの結果〜」と訂正する。
（５４）【発明の名称】
パチンコ機
（５７）【特許請求の範囲】
　【請求項１】　遊技盤面に設置された特別図柄表示装置始動口と、該始動口を遊技球が通過したことを検出して後記特別図柄表示装置に始動信号を送る特別図柄始動信号発生装置と、前記特別図柄始動信号発生装置の始動信号により複数の特別図柄表示部の夫々に複数の図柄を個々に変動させるようになした特別図柄表示装置及びこれの制御手段と、電気的な操作手段により遊技球の入賞が有利となる開放状態と不利となる閉鎖状態とに変化させ得る開閉機構で構成された大入賞口装置と、前記特別図柄表示部に表示された図柄の組み合わせが予め設定された特定の図柄の組み合わせと一致したときに始動を開始するようにされた大入賞口の開閉制御手段と、遊技盤面に設置された普通図柄表示装置作動ゲートと、該作動ゲートを遊技球が通過したことを検出して後記普通図柄表示装置に始動信号を送る普通図柄始動信号発生装置と、前記普通図柄始動信号発生装置の始動信号により複数の普通図柄表示部の夫々に複数の図柄を個々に変動させるようになした普通図柄表示装置及びこれの制御手段と、前記普通図柄表示部に表示された図柄の組み合わせが予め設定された特定の図柄の組み合わせと一致したときに普通電動役物を一定時間開放する制御手段と、普通図柄表示装置における普通図柄表示部の図柄の組み合わせが予め設定された特定の図柄の組み合わせと一致する確率を変換させる手段とを有するパチンコ機において、
　普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される
複数回の
【発明の詳細な説明】
　【０００１】
　【産業上の利用分野】
　本発明はパチンコ機に関するものであり、更に詳細には、普通図柄表示装置における普通図柄表示部の図柄の組み合わせが、普通電動役物を一定時間開放させる条件である予め設定された特定の図柄の組み合わせと一致する確率の変換を、大入賞口が大当たりの開放状態にあるときに特別図柄表示装置における特別図柄表示部において展開される
複数回の
　【０００２】
　【従来の技術】
　ここ数年来、パチンコ機にあっては、普通図柄表示装置における普通図柄表示部の図柄の組み合わせが、普通電動役物を一定時間開放させる条件である予め設定された特定の図柄の組み合わせと一致する確率を、高確率な状態と低確率な状態に変換させることができる図柄組み合わせ式のパチンコ機が多く考案され、遊技に供されている。
　【０００３】
　しかし、斯かるパチンコ機では、上記確率の変換に関して、特別図柄表示装置の特別図柄表示部に表示された図柄の組み合わせが予め設定された特定の図柄の組み合わせと一致することを条件に高確率な状態から低確率な状態へ変動し、また予め設定された別の特定の図柄の組み合わせが一致することを条件に低確率な状態から高確率な状態へ変動するようになされており、この特定の図柄の組み合わせが決定された時点で確率の変動も決定されてしまうため、「大当たり」中の興味が薄れるという欠点があった。
　【０００４】
　【発明が解決しようとする課題】
　そこで、本発明は上記従来品の問題点を解決すべく、普通図柄表示装置における普通図柄表示部の図柄の組み合わせが、普通電動役物を一定時間開放させる条件である予め設定された特定の図柄の組み合わせが一致する確率の変換を、「大当たり」中に液晶など表現力が豊富になった特別図柄表示装置における特別図柄表示部にて表示展開される
複数回の
　【０００５】
　【課題を解決するための手段】
　而して、本発明の要旨とするところは、遊技盤面に設置された特別図柄表示装置始動口と、該始動口を遊技球が通過したことを検出して後記特別図柄表示装置に始動信号を送る特別図柄始動信号発生装置と、前記特別図柄始動信号発生装置の始動信号により複数の特別図柄表示部の夫々に複数の図柄を個々に変動させるようになした特別図柄表示装置及びこれの制御手段と、電気的な操作手段により遊技球の入賞が有利となる開放状態と不利となる閉鎖状態とに変化させ得る開閉機構で構成された大入賞口装置と、前記特別図柄表示部に表示された図柄の組み合わせが予め設定された特定の図柄の組み合わせと一致したときに始動を開始するようにされた大入賞口の開閉制御手段と、遊技盤面に設置された普通図柄表示装置作動ゲートと、該作動ゲートを遊技球が通過したことを検出して後記普通図柄表示装置に始動信号を送る普通図柄始動信号発生装置と、前記普通図柄始動信号発生装置の始動信号により複数の普通図柄表示部の夫々に複数の図柄を個々に変動させるようになした普通図柄表示装置及びこれの制御手段と、前記普通図柄表示部に表示された図柄の組み合わせが予め設定された特定の図柄の組み合わせと一致したときに普通電動役物を一定時間開放する制御手段と、普通図柄表示装置における普通図柄表示部の図柄の組み合わせが予め設定された特定の図柄の組み合わせと一致する確率を変換させる手段とを有するパチンコ機において、
　普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される
複数回の
　【０００６】
　【作用】
　次に、本発明の作用について説明する。
　「大当たり」開始と共に特別図柄表示装置における特別図柄表示部にゲームが展開される。ゲームの内容は、例えば服を着た女性を表示し、その女性ともう一人の手がじゃんけんを行う様子を表示する。じゃんけんの結果は、乱数を抽選し、２分の１を勝ち、２分の１を負けとする。女性が負けた場合は女性が服を脱ぐ姿を表示する。そして、「大当たり」中に上記のじゃんけんゲームを４回行い、全て勝ったときに女性のオールヌードになる姿を表示し、この条件を高確率な状態への変更の条件とし、且つまた高確率な状態であることをメッセージとして表示する。
　【０００７】
　【実施例】
　以下、本発明の実施例について図面を参照しつつ説明する。
　図１は本発明の一実施例の正面図であり、１はパチンコ機、２は遊技盤、３は天入賞口、４は左袖入賞口、５は右袖入賞口、６は左袖下入賞口、７は右袖下入賞口、８は特別図柄表示装置始動口となる普通電動役物、９、１０は大入賞口の両側に設けた特別図柄表示装置始動口、１１は大入賞口装置、１１ａは大入賞口、１１ｂは特定領域、１２は左肩普通図柄表示装置作動ゲート、１３は右肩普通図柄表示装置作動ゲート、１４は通過口、１５は横に並んだ３個の特別図柄表示部１５ａ、１５ｂ、１５ｃを備えた特別図柄表示装置、１６は横に並んだ２個の普通図柄表示部１６ａ、１６ｂを備えた普通図柄表示装置、１７はアウト孔、１８は上受け皿、１９は下受け皿、２０は打球ハンドルである。そしてまた、該パチンコ機１は、普通図柄表示装置１６の普通図柄表示部１６ａ、１６ｂの図柄の組み合わせが予め設定された特定の図柄組み合わせと一致する確率を変換させる手段を設けている。以上は従来の図柄組み合わせ式パチンコ機と同様の構成である。尚、特別図柄表示装置１５の特別図柄表示部は液晶によって表示している。
　【０００８】
　そして、本発明において特徴とする点は、上記確率の変換を、大入賞口１１ａが大当たりの開放状態にあるときに特別図柄表示装置１５における特別図柄表示部において展開される
複数回の
　【０００９】
　また、本発明は前記実施例に示したパチンコ機の他に、「ヒコーキ台」、「権利台」又は「普通電役」と称されるパチンコ機であって、図柄表示装置における図柄表示部の図柄の組み合わせが予め設定された特定の図柄の組み合わせと一致する確率を変換させることができるパチンコ機にも適用可能である。
　【００１０】
　次に、パチンコ機１に内蔵された各種の制御装置のブロック図について説明する。
　図２は情報ブロック図であり、中央処理装置ＣＰＵ２１にはフィルター回路２２が接続されている。そしてまた、該フィルター回路２２には、その入力側に特別図柄スタートスイッチ２３、普通図柄スタートスイッチ２４、効果音スイッチ２５、カウントスイッチ２６、特定領域スイッチ２７が接続されており、各スイッチからの入力信号をノイズ除去して中央処理装置ＣＰＵ２１に送る。
　【００１１】
　前記中央処理装置ＣＰＵ２１は、前記各スイッチからの入力信号を演算処理し、ＲＡＭ及びＲＯＭに記憶されたプログラムを実行する。また、該中央処理装置ＣＰＵ２１の出力側には、ドライバー回路２８と音声回路２９とが接続されている。
　【００１２】
　そして、該ドライバー回路２８には、特別図柄表示器３０、普通図柄表示器３１、大入賞口ソレノイド３２、普通電役ソレノイド３３、ランプ３４、ＬＥＤ３５、外部情報端子３６が接続されている。また一方、前記音声回路２９にはアンプ３７を介してスピーカー３８が接続されている。
　【００１３】
　【発明の効果】
　本発明は上記の如き構成、作用であり、普通図柄表示装置における普通図柄表示部の図柄の組み合わせが予め設定された特定の図柄の組み合わせと一致する確率の変換を、大入賞口が大当たりの開放状態にあるときに特別図柄表示装置における特別図柄表示部において展開される
複数回の
【図面の簡単な説明】
　　【図１】
　本発明に係るパチンコ機の説明図である。
　　【図２】
　本発明の情報ブロック図である。
　　【符号の説明】
　１　パチンコ機
　２　遊技盤
　３　天入賞口
　４　左袖入賞口
　５　右袖入賞口
　６　左袖下入賞口
　７　右袖下入賞口
　８　普通電動役物（特別図柄表示装置始動口）
　９　特別図柄表示装置始動口
　１０　特別図柄表示装置始動口
　１１　大入賞口装置
　１１ａ　大入賞口
　１１ｂ　特定領域
　１２　左肩普通図柄表示装置作動ゲート
　１３　右肩普通図柄表示装置作動ゲート
　１４　通過口
　１５　特別図柄表示装置
　１６　普通図柄表示装置
　１７　アウト孔
　１８　上受け皿
　１９　下受け皿
　２０　打球ハンドル
【図面】